(57)【要約】【課題】アクセサリ収納蓋検出スイッチの検出能力が高く、外観品位や密閉性が良い蓋に係る電子機器の提供。【解決手段】蓋は一旦スライドさせてから回転動作させて開く方式とし、蓋の回転軸を支持する軸受部材に位置決め部を設け検出スイッチを直結し、スライド動作を検出することで、蓋とスイッチとの位置精度を向上させ、蓋は常時スライドの閉じ方向へ付勢させて不用意なスイッチの誤作動を防ぐ。また蓋の直線動作と回転動作の開き方向に向かって蓋と本体との境界線に傾斜角を設けることで、蓋閉塞時に隙間を最小限に抑えゴミ等進入を防ぎ外観品位を保つと同時に、蓋開き操作時は傾斜角により隙間を生み操作性を良好にする。【選択図】図４
2007187955.tif 000002
【特許請求の範囲】
【請求項１】
アクセサリを収納するアクセサリ収納部と、該アクセサリ収納部を閉塞する蓋を有する電子機器において、
該蓋は軸を中心に回転動作され、該軸を支持する軸受部材と、該蓋の開閉状態を検出する検出スイッチを有し、
該検出スイッチは該軸受部材と一体に成形された位置決め部に取り付けられていること、
を特徴とする、電子機器。
【請求項２】
該電子機器は、画像を撮影し記録できるデジタルカメラであり、
該アクセサリ収納部には、該デジタルカメラを駆動するための電池か、該画像を記録するためのメモリの少なくとも一方、またはその両方を収納可能であること、
を特徴とする、請求項１に記載の電子機器。
【請求項３】
該蓋は、該軸に直交する方向に直線動作した後に該軸を中心に該回転動作して開き、
該検出スイッチは、該直線動作を検出することにより、該蓋が開いたと判断するための信号を発すること、
を特徴とする、請求項１または２記載の電子機器。
【請求項４】
該蓋の該直線動作を閉じる方向に付勢する付勢部材を有すること、
を特徴とする、請求項３に記載の電子機器。
【請求項５】
該軸受部材に、該付勢された該蓋の該直線動作を静止させるストッパー部を有すること、
を特徴とする、請求項４に記載の電子機器。
【請求項６】
該蓋の該直線動作方向と平行な側面を、該直線動作方向に対して定められた傾斜角を成す様に傾け、
該電子機器の該蓋を取り付ける蓋取付部の側面も、
該蓋を閉じ状態から開き状態へ該直線動作させると該蓋との隙間が増す様、該傾斜角と平行に傾けたこと、
を特徴とする、請求項３から５いずれかに記載の電子機器。
【請求項７】
該蓋の該回転動作を開く方向に付勢する付勢部材を有すること、
を特徴とする、請求項３から６いずれかに記載の電子機器。
【請求項８】
該軸受部材に、該付勢された該蓋の該回転動作を静止させるストッパー部を有すること、
を特徴とする、請求項７に記載の電子機器。
【請求項９】
該蓋の該直線動作方向と平行な側面を、該回転動作方向に対して定められた傾斜角を成す様に傾け、
該電子機器の該蓋を取り付ける蓋取付部の側面も、
該蓋を閉じ状態から開き状態へ該回転動作させると該蓋との隙間が増す様、該傾斜角と平行に傾けたこと、
を特徴とする、請求項７または８に記載の電子機器。
【請求項１０】
該軸受部材には三脚ネジ穴が一体的に形成されていること、
を特徴とする、請求項１から９いずれかに記載の電子機器。
【請求項１１】
該軸受部材は、金属材料で形成されていること、
を特徴とする、請求項１から１０いずれかに記載の電子機器。
【発明の詳細な説明】
【技術分野】
【０００１】
本発明は電子機器のアクセサリ収納部に係る電子機器に関するものである。
【背景技術】
【０００２】
従来より、カメラのような電子機器に電池やカードなど電気的なアクセサリを収める機構に、収納部の蓋の開閉を検出して事前に機器の回路を停止させる手法がみられる。これはカメラの作動中にアクセサリ着脱を行なうと、撮影された画像が消失されたり、メモリカードやカメラ内部回路が電気的に破損する危険があり、着脱前にあらかじめ回路停止させることが必要なためである。例えば、特許文献１にみられる様に、アクセサリ収納口に検出スイッチを露出させ、これを蓋の開閉で直接押すことにより、蓋の開閉状態を機器回路に伝える方法である。
【０００３】
また別の一例として、充電式電池とメモリカードを収納できるカメラについて、図７に従来例を示す。これは、カメラの撮影時に撮影者が右手でカメラ本体を保持するグリップ部の胴内を空洞に成し、接続端子を設け電池収納部およびメモリカード収納部として機能させるものである。
【０００４】
１０１はカメラ本体、１０１ａはグリップ部である。また１０２はアクセサリの入口を閉塞する蓋ユニットで、カメラ本体１０１の下面方向から見ると略長方形を成しており、蓋ユニット１０２をカメラ１０１の背面方向（Ｚ方向）に摺動させてから放すと、回転して開く方式である。開くと、中に充電式の電池１０３、および撮影画像を記録するためのメモリカード１０４を入れることができる。
【０００５】
図８に蓋ユニット１０を開いた状態の分解図を示す。１０５はカメラ本体１０１のフロントカバー、１０６はリアカバー、１０７はシャーシ、１０８はホルダー、１０９は軸受である。その他の内蔵部材はここでは省略する。
【０００６】
次に図９にて蓋ユニット１０２を説明すると、１１０は蓋で、モールド材で形成され、内側に保持部１１０ａ、１１０ｂを有し、ここに蓋プレート１１１を嵌めてＺ方向に摺動動作が可能な状態に取付ける。１１０ａおよび１１０ｂは軸受穴で、ここに軸１１２を差込み、これを中心に蓋ユニット１０２を回転できる。また、１１０ｃ、１１０ｄは係止部で、ホルダー１０８に設けた爪部１０８ａ、１０８ｂに係止するものである。
【０００７】
次に１１３は押さえ板で、蓋１１０にビス１１４、１１５にて締結され、蓋１１０と一体的にＺ方向に摺動し、当接部１１３ａ、１１３ｂを蓋プレート１１１に当接させて蓋１１０の摺動動作の範囲を制限する。また、押さえ板１１３にはクリック凸部１１３ｃが設けられ、これを蓋プレート１１１のクリック穴１１１ｃに係合させることで摺動動作時にクリック感が得られる様になっている。
【０００８】
次に図１０にてカメラ本体１０１の構造を説明する。軸受１０９はシャーシ１０７に取り付け、ビス１１６〜１１９で固定する。
【０００９】
次に１０９ａは蓋ユニット１０２を取付ける軸受穴で、ここに軸１１２を蓋プレート１１１の軸受穴１１１ａおよび１１１ｂに貫通させ、もう一方をシャーシ１０７の軸受け部１０７ａに貫通させ、蓋ユニット１０２を回転自在な状態に取付ける。
【００１０】
次に、１２０は検出スイッチである。検出スイッチ１２０はシャーシ１０７に取り付けられた回路基板１２１に実装されている。そして１２２は検出レバーで、軸受１０９に形成されたレバー軸１０９ｂに取り付けられており、検出部１２２ａが蓋１１０に当たる位置に露出し、先端部１２２ｂが検出スイッチを押す様に構成してある。蓋開閉時には、蓋ユニット１０２を回転させることにより、検出部１２２ａが蓋１１０に押されてその動きを先端部１２２ｂから検出スイッチに伝え、蓋ユニット１０２が開いているか否かを判断する。
【特許文献１】特開２００１−２１９７９号公報（第９頁、図６）
【発明の開示】
【発明が解決しようとする課題】
【００１１】
従来の方式では、大きなスイッチ機構を要し、最近のカメラ小型化にはなじまない。また、検出スイッチ１２０の取付けと蓋１１０の取付けとの間に多くの部材が介在し、両者間の位置精度がばらつきやすく、蓋１１０を開閉しても検出スイッチ１２０が作動しなかったり、逆に蓋１１０を開閉しなくてもその外表面を押すだけで検出スイッチ１２０が誤作動を起こす問題があった。
【００１２】
さらに、蓋１１０を直線動作させた後の回転動作を検出する方式では、蓋開閉動作の検出タイミングが遅いため、保護回路を停止させる時間が少なく、回路を停止させないうちに電池１０３やメモリカード１０４を取り出してしまう危険があったり、またそれを防ぐために難しい回路停止の高速化等を行なわねばならない負荷があった。
【００１３】
また、蓋１１０の操作性を良好にするために、カメラ本体１０１との境界に充分な隙間を確保しなければならず、それがゴミや異物等の進入を招いたり、外観品位を低下させる要因ともなっていた。
【００１４】
本発明はこの様な状況を背景に、蓋開閉の検出能力が高く、保護回路を安全かつ簡潔に設定でき、外観品位を低下させることなく異物等の進入を防止できる蓋ユニット機構に係る電子機器を提供することを目的とする。
【課題を解決するための手段】
【００１５】
上記の課題を解決するために、本出願における第１の発明では、
アクセサリを収納するアクセサリ収納部と、該アクセサリ収納部を閉塞する蓋を有する電子機器において、
該蓋は軸を中心に回転動作され、該軸を支持する軸受部材と、該蓋の開閉状態を検出する検出スイッチを有し、
該検出スイッチは該軸受部材と一体に成形された位置決め部に取り付けられていること、
を特徴とする。
【００１６】
さらに本出願における第２の発明では、第１の発明に加えて、
該電子機器は、画像を撮影し記録できるデジタルカメラであり、
該アクセサリ収納部には、該デジタルカメラを駆動するための電池か、該画像を記録するためのメモリの少なくとも一方、またはその両方を収納可能であること、
を特徴とする。
【００１７】
さらに本出願における第３の発明では、第１または２の発明に加えて、
該蓋は、該軸に直交する方向に直線動作した後に該軸を中心に該回転動作して開き、
該検出スイッチは、該直線動作を検出することにより、該蓋が開いたと判断するための信号を発すること、
を特徴とする。
【００１８】
さらに本出願における第４の発明では、第３の発明に加えて、
該蓋の該直線動作を閉じる方向に付勢する付勢部材を有すること、
を特徴とする。
【００１９】
さらに本出願における第５の発明では、第４の発明に加えて、
該軸受部材に、該付勢された該蓋の該直線動作を静止させるストッパー部を有すること、
を特徴とする。
【００２０】
さらに本出願における第６の発明では、第３から５いずれかの発明に加えて、
該蓋の該直線動作方向と平行な側面を、該直線動作方向に対して定められた傾斜角を成す様に傾け、
該電子機器の該蓋を取り付ける蓋取付部の側面も、
該蓋を閉じ状態から開き状態へ該直線動作させると該蓋との隙間が増す様、該傾斜角と平行に傾けたこと、
を特徴とする。
【００２１】
さらに本出願における第７の発明では、第３から６いずれかの発明に加えて、
該蓋の該回転動作を開く方向に付勢する付勢部材を有すること、
を特徴とする。
【００２２】
さらに本出願における第８の発明では、第７の発明に加えて、
該軸受部材に、該付勢された該蓋の該回転動作を静止させるストッパー部を有すること、
を特徴とする。
【００２３】
さらに本出願における第９の発明では、第７または８の発明に加えて、
該蓋の該直線動作方向と平行な側面を、該回転動作方向に対して定められた傾斜角を成す様に傾け、
該電子機器の該蓋を取り付ける蓋取付部の側面も、
該蓋を閉じ状態から開き状態へ該回転動作させると該蓋との隙間が増す様、該傾斜角と平行に傾けたこと、
を特徴とする。
【００２４】
さらに本出願における第１０の発明では、第１から９いずれかの発明に加えて、
該軸受部材には三脚ネジ穴が一体的に形成されていること、
を特徴とする。
【００２５】
さらに本出願における第１１の発明では、第１から１０いずれかの発明に加えて、
該軸受部材は、金属材料で形成されていること、
を特徴とする。
【発明の効果】
【００２６】
本出願における第１の発明では、
蓋の軸を支持する軸受部材に検出スイッチが直接取り付けられているので、検出スイッチは蓋に対して高い位置精度を保った状態で取り付けられ、蓋の開閉動作を精度良く検出することができる。
【００２７】
さらに本出願における第２の発明では、
デジタルカメラの画像データを消失したりメモリカードを損傷することなく、アクセサリ収納部に電池やメモリカードを出し入れすることができる。
【００２８】
さらに本出願における第３の発明では、
蓋を回転させて開く前の直線動作によって検出スイッチは電子機器の回路を停止させることができるので、より安全にアクセサリ収納部に電池やメモリカードを出し入れすることができる。
【００２９】
さらに本出願における第４の発明では、
電子機器の使用中、不用意に蓋が動いて電子機器の回路を停止させたり蓋が開くのを防止することができる。
【００３０】
さらに本出願における第５の発明では、
蓋の直線動作をストッパー部で精度良く静止できるので、検出スイッチは蓋の開閉動作をより精度良く検出することができる。
【００３１】
さらに本出願における第６の発明では、
蓋を開いたときには機器本体との隙間が充分に有って操作しやすく、蓋を閉じたときには機器本体との隙間が最小限になって外観品位を向上させることができ、ゴミや異物等の進入も防ぎやすい。
【００３２】
さらに本出願における第７の発明では、
蓋を開くときには、蓋を直線動作させてから手を離すだけで、自動的に蓋が回転動作するので、蓋を簡単に開く事ができ、そのまま蓋を開いた状態で維持できるので、アクセサリの交換がやりやすい。
【００３３】
さらに本出願における第８の発明では、
蓋が開いた状態で更に開く方向へ力が加えられても、ストッパー部でその力を受けるので、機器本体が損傷しない。
【００３４】
さらに本出願における第９の発明では、
蓋を開くときには機器本体との隙間が充分に有って操作しやすく、蓋を閉じるときには機器本体との傾斜角に沿ってスムーズに閉じることができ、機器本体との隙間が最小限になって外観品位を向上させることができてゴミや異物等の進入も防ぎやすい。
【００３５】
さらに本出願における第１０の発明では、
機器本体を固定する三脚ネジ穴機能を軸受部材に形成させて、機器本体をコンパクトに構成することができる。
【００３６】
さらに本出願における第１１の発明では、
機器本体を固定する三脚ネジ穴をより強固に構成でき、かつ、蓋の静電気を機器本体に逃がす事ができる。
【発明を実施するための最良の形態】
【００３７】
以下本発明を実施するための最良の形態を、実施例により詳しく説明する。
【実施例１】
【００３８】
図１に、本発明の実施例による電子機器（カメラ）の外観図を示す。１はカメラ本体、２はアクセサリ収納部の入口を閉塞する蓋ユニットである。また３は従来例と同様の電池、４は同じくメモリカードである。
【００３９】
蓋ユニット２は図２の様に、モールド材で形成された蓋５の内側に取付部５ａがあり、これをステンレス板金で構成された蓋プレート６の貫通穴６ａに通し、さらに内側から同じくステンレス板金で構成された固定板７を被せ、ビス穴７ａおよび７ｂにビス８および９を貫通させ、下穴５ｂおよび５ｃに締め付けて固定している。このとき、貫通穴６ａは長方形を成しているので、その長手方向に沿って蓋５と固定板７は一体的に直線移動が可能である。また、蓋５にはクリック溝５ｄが設けられ、そこに摺動する様に、蓋プレート６にクリックバネ６ｂが設けられている。その構成は図３（ａ）（ｂ）の断面図に示す様に、クリックバネ６ｂ先端の摺動部６ｃが、蓋５の直線移動に伴ってクリック溝５ｄの凹部５ｅと５ｆの間で摺動し、蓋５を閉じ位置（図３（ａ））と開き位置（図３（ｂ））に付勢する様になっている。
【００４０】
次に、図４にてカメラ本体１側の構造を説明する。１０は軸受で、軸受けとしての充分な強度を確保できる様に亜鉛ダイカスト製の金属材料で構成され、位置決めダボ１０ａおよび１０ｂをシャーシ１１の位置決め穴１１ａおよび１１ｂに勘合させて精度良く位置決めし、ビス穴１０ｃおよび１０ｄにビス１２および１３を貫通させ、下穴１１ｃおよび１１ｄに締め付けて固定している。
【００４１】
次に６ｄおよび６ｅは蓋ユニット２を取付ける軸受穴で、ここに軸１４を蓋プレート６の軸受穴６ｄおよび６ｅに貫通させ蓋ユニット２をＹ方向に回転自在な状態にしながら取付ける。また１０ｇは蓋５が閉じ方向へ直線移動したとき、蓋５が当たってそれ以上の移動を静止させるストッパー部である。そして１５は付勢バネで、蓋ユニット２と共に取付けられ、蓋ユニット２の回転を開き方向に常時付勢する。そして蓋ユニット２が開き方向終端まで回転したとき、軸受１０のストッパー部１０ｇに蓋プレート６のストッパー部６ｆが当たってその回転を静止させる。
【００４２】
次に、１６は検出スイッチで、蓋５に押されたか否かを検出して蓋ユニット２の開閉を判断し、電池３やメモリカード４などのアクセサリが着脱できる様にカメラ本体１の内部回路を停止させるためのものである。検出スイッチ１６は軸受１０に設けた位置決めダボ１０ｈおよび１０ｉに取付け、ビス１７で下穴１０ｊに固定する。このため検出スイッチ１６は蓋ユニット２に対して高い位置精度を維持でき、蓋ユニット２の直線移動を精度良く検出することが可能である。
【００４３】
また、１０ｋは三脚ネジ穴である。これはカメラ本体１を三脚に取付け固定する際などに使用するもので、軸受１０に一体的に設ける事で部品点数を減らしスペースを有効に活用できると共に、軸受１０が亜鉛ダイカスト製の金属材料で構成されている事を利用して、カメラ本体１の固定に必要な強度を充分に確保できる。
【００４４】
次に、１８ａおよび１８ｂはホルダー１８に設けた引掛爪で、前述の様に蓋ユニット２を閉じ位置から開き位置に直線移動すると、蓋５に設けた引掛爪５ｇおよび５ｈとの勘合が外れる様になっている。
【００４５】
次に、図５の様にカメラ本体１を下面方向から見ると、蓋５は略長方形を成しているが、蓋５の蓋側面５ｉおよび５ｊと、カメラ本体１の蓋取付部側面１ａおよび１ｂとの境界線はＸ方向に対して所定角α、βに傾いて形成し、蓋５をＸ方向に直線移動させると、蓋側面５ｉおよび５ｊと、蓋取付部側面１ａおよび１ｂとの隙間が広がる様になっている。
【００４６】
また、図６の様にカメラ本体１の側面方向から見ると、蓋側面５ｉおよび５ｊと、蓋取付部側面１ａおよび１ｂとの境界線はＹ方向に対して所定角γ、δに傾いて形成し、蓋５を閉じるとき、蓋側面５ｉおよび５ｊは所定角γ、δに沿って蓋取付部側面１ａおよび１ｂに接近する様に閉じられる様になっている。
【００４７】
本発明の実施例による電子機器（カメラ）は以上の様に構成されている。
【００４８】
次に、この電子機器（カメラ）の蓋ユニット２開閉操作について説明する。
【００４９】
使用者は、カメラ本体１を図５の様に蓋５が見える様に上下逆に保持する。この状態では、蓋５の蓋側面５ｉおよび５ｊと、カメラ本体１の蓋取付部側面１ａおよび１ｂとの境界線はほぼ密着した状態にあり、隙間が最小限で外観品位が確保され、ゴミや異物等の進入も防ぎやすい。
【００５０】
そして、クリックバネ６ｂ先端の摺動部６ｃがクリック溝５ｄの凹部５ｅに掛かっているため、蓋５は閉じ位置側へ付勢され密閉された状態にある。これを開くために、まず蓋５を閉じ位置から開き位置へ手でＸ方向に直線移動させる。
【００５１】
このとき、前述の様に蓋５の蓋側面５ｉおよび５ｊと、カメラ本体１の蓋取付部側面１ａおよび１ｂとの境界線はＸ方向に対して所定角α、βに傾いて形成しているので、直線移動に伴ない、蓋側面５ｉおよび５ｊと、蓋取付部側面１ａおよび１ｂとの隙間が広がるため、蓋５を開く操作は隙間が充分に有って操作しやすい。
【００５２】
そして、この直線動作により、検出スイッチ１６が蓋５に押された状態から押されない状態に移行するため蓋ユニット２が開いたと判断し、メモリカード４に記憶された画像データを消失したりメモリカード４自体を電気的に損傷することなく電池３やメモリカード４などのアクセサリが着脱できる様、カメラ本体１の内部回路を停止させることができる。しかもこのあと蓋５を回転させて完全に開く前の直線動作の段階で回路を停止させることができるので、より安全に電池３やメモリカード４を出し入れすることができる。
【００５３】
次に、蓋５を閉じ位置から開き位置へ完全に直線移動させると、蓋５の取付部５ａが蓋プレート６の長方形の貫通穴６ａの開き方向の終端まで達し、その位置で直線移動が静止される。
【００５４】
またこのとき、図３（ｂ）の様にクリックバネ６ｂ先端の摺動部６ｃがクリック溝５ｄの凹部５ｆに掛かり、蓋５は開き位置側へ付勢されるため、この状態で手を離すと、この開き方向の終端状態が維持される。
【００５５】
さらに、手を離すことにより、蓋ユニット２は付勢バネ１５の付勢により開き方向に回転し、開き方向終端まで回転したとき、軸受１０のストッパー部１０ｇに蓋プレート６のストッパー部６ｆが当たってその回転を静止させる。
【００５６】
したがって、蓋を開くときには、蓋を直線動作させてから手を離すだけで、自動的に蓋が回転動作するので、蓋を簡単に開く事ができ、そのまま蓋を開いた状態で維持できるので、電池３やメモリカード４の交換がやりやすい。
【００５７】
また、もしこの状態で蓋ユニット２が更に開く方向へ力が加えられたとしても、ストッパー部１０ｇと６ｆでその力を受けるので、他の個所が変形したり傷ついたりするのを防止できる。
【００５８】
続いて、蓋ユニット２を閉じる場合は、使用者は付勢バネ１５の付勢に抗して蓋ユニット２をＹ方向に回転動作させて閉じる。このとき、図６に示した様に、カメラ本体１の側面方向には、蓋側面５ｉおよび５ｊと、蓋取付部側面１ａおよび１ｂとの境界線が閉じ方向に対して所定角γ、δに傾いて形成されているため、回転軸にガタがあっても蓋側面５ｉおよび５ｊは所定角γ、δに沿ってスムーズに蓋取付部側面１ａおよび１ｂに接近する様に閉じることができ、カメラ本体１と蓋５との隙間が最小限になって外観品位を向上させることができてゴミや異物等の進入も防ぎやすい。
【００５９】
そしてこのまま蓋５をＸ方向に直線移動させると、蓋５の蓋側面５ｉおよび５ｊと、カメラ本体１の蓋取付部側面１ａおよび１ｂはＸ方向に対して所定角α、βに傾いて形成されているため、蓋側面５ｉおよび５ｊは所定角α、βに沿ってスムーズに密閉することができ、カメラ本体１と蓋５との隙間が最小限になって外観品位を向上させることができてゴミや異物等の進入も防ぎやすい。
【００６０】
さらに、図３（ａ）で示した様に、クリックバネ６ｂ先端の摺動部６ｃがクリック溝５ｄの凹部５ｅに掛かり、蓋５は閉じ位置側へ付勢される。このとき、蓋５の取付部５ａが蓋プレート６の長方形の貫通穴６ａの閉じ方向の終端まで達する前に、蓋５がストッパー部１０ｇに当たる様、貫通穴６ａの長方形状が設定されている。
【００６１】
したがって、蓋５の直線動作を、検出スイッチ１６を取付けてある軸受１０で直接静止させるので、検出スイッチ１６は蓋５の開閉動作をより精度良く検出することができる。
【００６２】
さらに、この状態で蓋５は閉じ方向に付勢されているため、この状態でカメラを使用しても、不用意に蓋５が開いたり検出スイッチ１６が作動して回路を停止させるのを防ぐことができる。
【図面の簡単な説明】
【００６３】
【図１】本発明によるカメラ本体の外観図
【図２】本発明による蓋ユニットの分解図
【図３（ａ）】本発明による蓋ユニットの断面図
【図３（ｂ）】本発明による蓋ユニットの断面図
【図４】本発明によるカメラ本体の外観図
【図５】本発明によるカメラ本体の下面図
【図６】本発明によるカメラ本体の側面図
【図７】従来例による電子機器の外観図
【図８】従来例による電子機器の分解図
【図９】従来例による電子機器の外観図
【図１０】従来例による電子機器の外観図
【符号の説明】
【００６４】
１  カメラ本体、
１ａ、１ｂ  蓋取付部側面
２  蓋ユニット
３  電池
４  メモリカード
５  蓋
５ａ  取付部
５ｂ、５ｃ  下穴
５ｄ  クリック溝
５ｅ  凹部（閉じ位置）
５ｆ  凹部（開き位置）
５ｇ、５ｈ  引掛爪
５ｉ、５ｊ  蓋側面
６  蓋プレート
６ａ  貫通穴
６ｂ  クリックバネ
６ｃ  摺動部
６ｄ、６ｅ  軸受穴
６ｆ  ストッパー部
７  固定板
７ａ、７ｂ  ビス穴
８、９  ビス
１０  軸受
１０ａ、１０ｂ  位置決めダボ
１０ｃ、１０ｄ  ビス穴
１０ｅ、１０ｆ  軸受穴
１０ｇ  ストッパー部
１０ｈ、１０ｉ  位置決めダボ
１０ｊ  下穴
１０ｋ  三脚ネジ穴
１１  シャーシ
１１ａ、１１ｂ  位置決め穴
１１ｃ、１１ｄ  下穴
１２、１３  ビス
１４  軸
１５  付勢バネ
１６  検出スイッチ
１７  ビス
１８  ホルダー
１８ａ、１８ｂ  引掛爪
１０１  カメラ本体
１０１ａ  グリップ部
１０２  蓋ユニット
１０３  電池
１０４  メモリカード
１０５  フロントカバー
１０６  リアカバー
１０７  シャーシ
１０７ａ  軸受け部
１０８  ホルダー
１０８ａ、１０８ｂ  爪部
１０９  軸受
１０９ａ  軸受穴
１０９ｂ  レバー軸
１１０  蓋
１１０ａ、１１０ｂ  保持部
１１０ｃ、１１０ｄ  係止部
１１１  蓋プレート
１１１ａ、１１１ｂ  軸受穴
１１１ｃ  クリック穴
１１２  軸
１１３  押さえ板
１１３ａ、１１３ｂ  当接部
１１３ｃ  クリック凸部
１１４、１１５  ビス
１１６〜１１９  ビス
１２０  検出スイッチ
１２１  回路基板
１２２  検出レバー
１２２ａ  検出部
１２２ｂ  先端部
【図１】
2007187955.tif 000003
【図２】
2007187955.tif 000004
【図３（ａ）】
2007187955.tif 000005
【図３（ｂ）】
2007187955.tif 000006
【図４】
2007187955.tif 000007
【図５】
2007187955.tif 000008
【図６】
2007187955.tif 000009
【図７】
2007187955.tif 000010
【図８】
2007187955.tif 000011
【図９】
2007187955.tif 000012
【図１０】
2007187955.tif 000013